(57)【要約】【課題】  吸熱室に発生した結露水を的確に排水できるうえドレンパイプの先端開口部から吸熱室に粉塵が侵入するのを確実に防止できるキャビネット用冷却装置のドレンパイプの防塵構造を提供する。【解決手段】  吸熱室２と放熱室３を仕切壁４により区画して、該吸熱室２をキャビネット１００内に放熱室３をキャビネット１００外に配置するキャビネット用冷却装置において、前記吸熱室２に結露を受けるドレンパン６を設け、このドレンパン６に基端を接続したドレンパイプ７を前記仕切壁４に貫通させて放熱室３に臨ませたうえ該ドレンパイプ７の先端を該放熱室３に設けた排水口８ａ付の排水タンク８に充填した防塵材９の上端から下方に向け形成した筒状溝部９ａに該筒状溝部９ａの底部との間に空間部Ｓを形成するように接続する。【選択図】  図２
2005133974.tif 000002
【特許請求の範囲】
【請求項１】
吸熱室と放熱室を仕切壁により区画して、該吸熱室をキャビネット内に放熱室をキャビネット外に配置するキャビネット用冷却装置において、前記吸熱室に結露を受けるドレンパンを設け、このドレンパンに基端を接続したドレンパイプを前記仕切壁に貫通させて放熱室に臨ませたうえ該ドレンパイプの先端を該放熱室に設けた排水口付の排水タンクに充填した防塵材の上端から下方に向け形成した筒状溝部に該筒状溝部の底部との間に空間部を形成するようにて接続したことを特徴とするキャビネット用冷却装置のドレンパイプの防塵構造。
【請求項２】
排水タンクの排水口とドレンパイプの先端を接続する防塵材に形成した筒状溝部とを上下で平面位置をずらした請求項１に記載のキャビネット用冷却装置のドレンパイプの防塵構造。
【発明の詳細な説明】
【技術分野】
【０００１】
本発明は、分電盤、配電盤等のキャビネットの内部を冷却するキャビネット用冷却装置のドレンパイプの防塵構造に関するものである。
【背景技術】
【０００２】
キャビネット等の内部を冷却する場合において、粉塵の多い環境で冷却装置を使用する場合にキャビネット内に粉塵が侵入しない防塵性が高いものが要求される。しかし、ペルチェ素子を利用した冷却装置はキャビネットに設けた開口部から吸熱室をキャビネット内に配置してキャビネット内を冷却するためこの吸熱室に結露水が発生することが避けられないものである。
【０００３】
そのため、キャビネット内に配置した吸熱室にドレンパンを設けてこれに接続したドレンパイプにより結露水をキャビネット外部に配置されている放熱室に送り排水しているのを普通としているが、ドレンパイプの先端開口部から吸熱室に粉塵が侵入するのを防止するため該ドレンパイプの先端開口部に防塵材を取り付けている（例えば、特許文献１参照）。ところが、このようなものは防塵材に粉塵が付着した場合にドレンパイプの先端開口部の防塵材が目詰まりして結露水を排水できない虞があった。
【特許文献１】特開平１０−１１８４４２号公開特許公報
【発明の開示】
【発明が解決しようとする課題】
【０００４】
本発明は前記のような従来の問題点を解決して、吸熱室に発生した結露水を的確に排水できるうえドレンパイプの先端開口部から吸熱室に粉塵が侵入するのを確実に防止できるキャビネット用冷却装置のドレンパイプの防塵構造を提供することである。
【課題を解決するための手段】
【０００５】
本発明のキャビネット用冷却装置のドレンパイプの防塵構造は、吸熱室と放熱室を仕切壁により区画して、該吸熱室をキャビネット内に放熱室をキャビネット外に配置するキャビネット用冷却装置において、前記吸熱室に結露を受けるドレンパンを設け、このドレンパンに基端を接続したドレンパイプを前記仕切壁に貫通させて放熱室に臨ませたうえ該ドレンパイプの先端を該放熱室に設けた排水口付の排水タンクに充填した防塵材の上端から下方に向け形成した筒状溝部に該筒状溝部の底部との間に空間部を形成するようにて接続したことを特徴とするものである。また、この発明において、排水タンクの排水口とドレンパイプの先端を接続する防塵材に形成した筒状溝部とを上下で平面位置をずらすことが好ましい。
【発明の効果】
【０００６】
本発明は、吸熱室で発生する結露を放熱室に送るドレンパイプの先端を該放熱室に設けた排水口付の排水タンクに充填した防塵材の上端から下方に向け形成した筒状溝部に該筒状溝部の底部との間に空間部を形成して接続したものであるから、ドレンパイプにより排水タンクに送られた結露水は防塵材を介して排水口から外部に排水されるものである。そして、前記したとおりドレンパイプの先端は排水タンクに充填した防塵材の上端から下方に向け形成した筒状溝部に接続されているので、排水タンクの排水口から粉塵が侵入しても防塵材がドレンパイプへの侵入を防ぎ吸熱室へ達することない防塵効果をあげるものである。
【０００７】
また、排水口が臨む個所の防塵材が粉塵により目詰まりしてもドレンパイプの先端が排水タンクに充填した防塵材の上端から下方に向け形成した筒状溝部に該筒状溝部の底部との間に空間部を形成して接続したものであるから、排水タンクに送られた結露水は空間部から目詰まりしていない個所の防塵材を通って排水タンクの底部と防塵材の下面との間に流れて排水口から的確に排水されるものである。なお、排水タンクの排水口とドレンパイプの先端を接続する防塵材に形成した筒状溝部とを上下で平面位置をずらすものとしておけば、筒状溝部を防塵材の上下を貫通するものとすることができ空間部がより広くとれて目詰まりがあっても、より排水機能の向上が図れるものである。
【発明を実施するための最良の形態】
【０００８】
次に、本発明の好ましい実施の形態を図面に基づき説明する。
１はキャビネット用冷却装置であり、該冷却装置１は吸熱室２と放熱室３を仕切壁４により区画して、該仕切壁４に設けた開口部４１にペルチェ素子５を吸熱側を吸熱室２に放熱側を放熱室３に向けて配置して、ペルチェ素子５の吸熱側と放熱側にフィン２１、３１及びファン２２、３２を取り付けたものである。
【０００９】
この冷却装置１は分電盤、配電盤等のキャビネット１００内に該キャビネット１００に設けた取付窓１０１から吸熱室２を配置させて放熱室３をキャビネット１００外に配置してとりつけてキャビネット１００内を冷却するものである。このようにキャビネット１００内を冷却すると吸熱室２のフィン２１に結露が発生するが、吸熱室２には結露を受けるドレンパン６が設けられており、該ドレンパン６には前記仕切壁４を貫通して放熱室３に臨ませたドレンパイプ７の基端が接続されている。
【００１０】
そして、該ドレンパイプ７の先端は前記該放熱室３に設けた排水口８ａ付の排水タンク８に充填した防塵材９の上端から下方に向け形成した筒状溝部９ａに該筒状溝部９ａの底部との間に空間部Ｓを形成して接続してある。なお、防塵材９としては連続気孔を有するウレタンフォームや不織布を重ね合わせたような吸水性に富み保形成の良い材料が好ましいが特に限定されるものではない。
【００１１】
また、排水タンク８の排水口８ａとドレンパイプ７の先端を接続する防塵材９に形成した筒状溝部９ａを上下で平面位置をずらすものとして、筒状溝部９ａを防塵材９の上下を貫通するものが好ましいが、筒状溝部９ａを防塵材９を貫通させることなく有底に形成して筒状溝部９ａと排水口８ａとの上下位置を合致するものとしてもよい。
【００１２】
このように構成されたものは、吸熱室２のフィン２１等に付着する結露水をドレンパン６で受けた上、ドレンパイプ７により放熱室３に設けた排水口８ａ付の排水タンク８に送れば、ドレンパイプ７の先端は排水タンク８に充填した防塵材９の上端から下方に向け形成した筒状溝部９ａに該筒状溝部９ａの底部との間に空間部Ｓを形成して接続したものであるから、結露水は防塵材９を介して排水口８ａから外部に排水されるものである。そして、ドレンパイプ７の先端は排水タンク８に充填した防塵材９の上端から下方に向け形成した筒状溝部９ａに接続されているので、排水タンク８の排水口８ａから粉塵が侵入しても防塵材９がドレンパイプ７への侵入を防ぎ吸熱室２が粉塵で汚染される虞のないものである。
【００１３】
また、排水口８ａが臨む個所の防塵材９が粉塵により目詰まりしてもドレンパイプ７の先端が排水タンク８に充填した吸水性に富み保形成の良い防塵材９の上端から下方に向け形成した筒状溝部９ａに該筒状溝部９ａの底部との間に空間部Ｓを形成して接続したものであるから、排水タンク８に送られた結露水は空間部Ｓの内壁面から目詰まりしていない個所の防塵材９を通って排水タンク８の底部と防塵材９の下面との間を流れて排水口８ａから的確に排水されるものである。
【図面の簡単な説明】
【００１４】
【図１】本発明の実施形態を示す断面図である。
【図２】本発明の実施形態の要部を示す断面図である。
【図３】本発明の実施形態の要部を示す切欠正面図である。
【符号の説明】
【００１５】
１  キャビネット用冷却装置
２  吸熱室
３  放熱室
４  仕切壁
６  ドレンパン
７  ドレンパイプ
８  排水タンク
8a  排水口
９  防塵材
9a  筒状溝部
S  空間部
【図１】
2005133974.tif 000003
【図２】
2005133974.tif 000004
【図３】
2005133974.tif 000005